(57)【要約】【課題】湯張制御装置から容易に水抜きすることを可能とする。【解決手段】給湯装置から浴槽に湯水を供給するための給湯通路２０に設置される湯張制御装置内に、給湯通路を開閉する電磁弁を設け、電磁弁の給湯装置側には湯水中の異物を除去するフィルターを設ける。また、電磁弁の浴槽側には、給湯通路を閉じる方向に閉弁バネ５２で付勢されていると共に、電磁弁側の湯水の圧力が所定の開弁圧力を上回ると開弁する逆止弁３３を設ける。さらに、給湯装置に供給される上水の圧力を受けることで開弁バネ６５の付勢力に抗して閉弁すると共に、上水の圧力が低下すると開弁して逆止弁よりも浴槽側の湯水を排出させる大気開放弁３６を設ける。そして、逆止弁と大気開放弁とを係合させることが可能な係合部５４，６８を設けることとして、この係合部は、大気開放弁の閉弁状態では逆止弁の開弁を妨げることがなく、大気開放弁の開弁時に係合によって逆止弁を開弁させる。【選択図】図４
2020012614.tif 000002
【特許請求の範囲】
【請求項１】
給湯装置から浴槽に湯水を供給するための給湯通路に設けられ、前記浴槽の湯張りを制御する湯張制御装置において、
前記給湯通路を開閉する電磁弁と、
前記電磁弁よりも前記給湯装置側に設けられて、該給湯装置からの湯水に混入する異物を除去するフィルターと、
前記電磁弁よりも前記浴槽側に設けられて、前記給湯通路を閉じる閉弁方向に閉弁バネで付勢されていると共に、前記電磁弁側の湯水の圧力が所定の開弁圧力を上回ると開弁する逆止弁と、
前記給湯装置に供給される上水の圧力を受けることで開弁バネの付勢力に抗して閉弁すると共に、該上水の圧力が低下すると開弁して前記逆止弁よりも前記浴槽側の湯水を排出する大気開放弁と
を備え、
前記逆止弁と前記大気開放弁とを係合させることが可能な係合部が設けられており、
前記係合部は、前記大気開放弁が閉弁した状態では、前記逆止弁の開弁を妨げることがなく、前記大気開放弁が開弁すると、該大気開放弁との係合によって前記逆止弁を開弁させる
ことを特徴とする湯張制御装置。
【請求項２】
請求項１に記載の湯張制御装置において、
前記逆止弁の開弁方向と前記大気開放弁の開弁方向とが同一方向であると共に、前記閉弁バネと前記開弁バネとが反対方向に付勢しており、
前記逆止弁と前記大気開放弁とは、前記係合部に妨げられることなく互いの弁体の間隔を縮めることが可能であると共に、当該間隔が所定距離に広がると前記係合部で係合する
ことを特徴とする湯張制御装置。
【請求項３】
請求項１または請求項２に記載の湯張制御装置において、
前記逆止弁は、前記大気開放弁に対して前記閉弁バネで閉弁方向に付勢されている
ことを特徴とする湯張制御装置。
【発明の詳細な説明】
【技術分野】
【０００１】
本発明は、給湯装置から浴槽に湯水を供給するための給湯通路に設けられ、浴槽の湯張りを制御する湯張制御装置に関し、詳しくは、給湯装置の水抜き時に湯張制御装置から水抜きする技術に関する。
【背景技術】
【０００２】
給湯装置で生成した湯を用いて浴槽に湯張りするシステムでは、給湯装置から浴槽に湯水を供給するための給湯通路に、湯張りを制御する湯張制御装置を備えているのが一般的である。この湯張制御装置は、電磁弁や、フィルターや、逆止弁などで構成されている。電磁弁は、給湯通路を開閉可能であり、電磁弁の開弁によって浴槽に湯張りされ、電磁弁の閉弁によって湯張りが停止される。フィルターは、電磁弁の上流側（給湯装置側）に設けられ、給湯装置からの湯水に混入する異物を除去して、電磁弁に異物が挟まるのを防止している。逆止弁は、電磁弁の下流側（浴槽側）に設けられ、給湯通路を閉じる方向に閉弁バネで付勢されている。電磁弁の開弁によって給湯装置から供給される湯水の圧力が所定の開弁圧力を上回ると、閉弁バネの付勢力に抗して逆止弁が開弁して湯水を通過させる。そして、湯張り中に断水などの理由で給湯装置への上水の供給圧力が低下するのに伴い、給湯装置から供給される湯水の圧力が低下した場合には、逆止弁が閉弁するので、給湯通路を通って浴槽側から給湯装置側に湯水が逆流するのを阻止できる。
【０００３】
また、このような湯張制御装置では、逆止弁の下流側（浴槽側）に大気開放弁を設けることが提案されている（特許文献１）。大気開放弁は、開弁バネによって開弁する方向に付勢されており、給湯装置に供給される上水の圧力を受けることで開弁バネの付勢力に抗して閉弁状態になっている。そして、上水の圧力が低下すると、開弁バネの付勢力で大気開放弁が開弁し、逆止弁の下流側の湯水を排出することが可能である。そのため、何らかの理由で逆止弁の閉弁が不完全であったとしても、浴槽側から給湯装置側への湯水の逆流を防止することができる。加えて、大気開放弁は、給湯装置の水抜きの際にも上水の供給が停止されるのに伴って開弁することから、逆止弁の下流側の水抜きに利用可能である。
【先行技術文献】
【特許文献】
【０００４】
【特許文献１】特開２００３−２５４６０４号公報
【発明の概要】
【発明が解決しようとする課題】
【０００５】
しかし、上述のような構造を有する湯張制御装置では、水抜きの際にフィルターと逆止弁との間の湯水が抜け難いという問題があった。これは次のような理由による。先ず、水抜きの際には、電磁弁を開弁させても、逆止弁が閉弁したままであり、逆止弁の下流側から上流側の湯水に大気圧が作用することはない。一方、給湯装置の水抜きに伴いフィルターよりも上流側（給湯装置側）の湯水が抜けると、フィルターの上流側から下流側の湯水に大気圧が作用する。また、フィルターの細かい目で水の表面張力が生じることで空気が通り抜け難くなる。このため、フィルターと逆止弁との間では、湯水がフィルター側から流れ出ようとしても、置換される空気がないことから負圧が発生し、この負圧と、フィルターで生じる水の表面張力と、フィルターの上流側から作用する大気圧とで湯水の重量が支えられる。その結果、フィルターの上流側が水抜きされても、フィルターと逆止弁との間には湯水が閉じ込められたまま残ってしまう。
【０００６】
この発明は従来の技術における上述した課題に対応してなされたものであり、湯張制御装置から容易に水抜きすることが可能な技術の提供を目的とする。
【課題を解決するための手段】
【０００７】
上述した課題を解決するために、本発明の湯張制御装置は次の構成を採用した。すなわち、
給湯装置から浴槽に湯水を供給するための給湯通路に設けられ、前記浴槽の湯張りを制御する湯張制御装置において、
前記給湯通路を開閉する電磁弁と、
前記電磁弁よりも前記給湯装置側に設けられて、該給湯装置からの湯水に混入する異物を除去するフィルターと、
前記電磁弁よりも前記浴槽側に設けられて、前記給湯通路を閉じる閉弁方向に閉弁バネで付勢されていると共に、前記電磁弁側の湯水の圧力が所定の開弁圧力を上回ると開弁する逆止弁と、
前記給湯装置に供給される上水の圧力を受けることで開弁バネの付勢力に抗して閉弁すると共に、該上水の圧力が低下すると開弁して前記逆止弁よりも前記浴槽側の湯水を排出する大気開放弁と
を備え、
前記逆止弁と前記大気開放弁とを係合させることが可能な係合部が設けられており、
前記係合部は、前記大気開放弁が閉弁した状態では、前記逆止弁の開弁を妨げることがなく、前記大気開放弁が開弁すると、該大気開放弁との係合によって前記逆止弁を開弁させる
ことを特徴とする。
【０００８】
このような本発明の湯張制御装置では、給湯装置の水抜き時に上水の供給が停止されることで大気開放弁が開弁するので、逆止弁よりも浴槽側は湯水が排出されて、空気で置換される。また、大気開放弁の開弁と連動して逆止弁が開弁されることから、空気の流入が可能となり、電磁弁を開弁状態とすれば、フィルターと逆止弁との間の負圧が解消されると共に、逆止弁側から湯水に大気圧が作用する。この状態では、フィルターで生じる水の表面張力だけでは湯水の重量を支えきれなくなるので、フィルターと逆止弁との間の湯水がフィルター側あるいは逆止弁側から流れ出る。その結果、湯張制御装置から容易に水抜きすることが可能となる。
【０００９】
上述した本発明の湯張制御装置では、次のようにしてもよい。まず、逆止弁の開弁方向と大気開放弁の開弁方向とが同一方向になっており、閉弁バネと開弁バネとが反対方向に付勢する。そして、逆止弁と大気開放弁とは、係合部に妨げられることなく互いの弁体の間隔を縮めることが可能であると共に、その間隔が所定距離に広がると係合部で係合する。
【００１０】
このようにすれば、大気開放弁が閉弁した状態で、逆止弁が開弁する際には、互いの弁体の間隔を縮めることで逆止弁の開弁が妨げられることはない。一方、大気開放弁が開弁する際には、互いの弁体の間隔が所定距離に広がることにより、係合部で逆止弁と大気開放弁とが係合するので、大気開放弁の開弁と連動して逆止弁を開弁させることができる。
【００１１】
また、こうした本発明の湯張制御装置では、逆止弁を大気開放弁に対して閉弁バネで閉弁方向に付勢しておいてもよい。
【００１２】
このようにすれば、水抜き時に逆止弁と大気開放弁とが係合部で係合した状態で、閉弁バネが大気開放弁を閉弁方向に付勢することはないので、閉弁バネと開弁バネとが反対方向に付勢していても、閉弁バネの付勢力と開弁バネの付勢力との強さの関係にかかわらず、大気開放弁の開弁に連動して逆止弁を開弁させることができる。結果として、閉弁バネの強さの選定が容易となる。
【図面の簡単な説明】
【００１３】
【図１】本実施例の湯張制御装置３０を備える湯張システム１の全体構成を示した説明図である。
【図２】本実施例の湯張制御装置３０の構成を概念的に示した説明図である。
【図３】湯張制御装置３０に湯水が残ってしまう場合を例示した説明図である。
【図４】水抜きを容易とするために本実施例の湯張制御装置３０に採用された構成を示す説明図である。
【図５】浴槽２の湯張り中における本実施例の第１逆止弁３３および大気開放弁３６の状態を示した断面図である。
【図６】水抜き時における本実施例の第１逆止弁３３および大気開放弁３６の状態を示した断面図である。
【図７】変形例における第１逆止弁３３のロッド５３および大気開放弁３６のシリンダー６７を拡大して示した断面図である。
【図８】第１逆止弁３３を大気開放弁３６に対して閉弁方向に付勢しておくための閉弁バネ５２の設置位置の別例を示した断面図である。
【発明を実施するための形態】
【００１４】
図１は、本実施例の湯張制御装置３０を備える湯張システム１の全体構成を示した説明図である。図示されるように湯張システム１は、湯を生成する給湯装置１０と、湯を溜める浴槽２と、給湯装置１０から浴槽２に湯水を供給するための給湯通路２０と、給湯通路２０の途中に設けられた湯張制御装置３０とを備えている。
【００１５】
給湯装置１０は、ガス通路１１を通じて供給された燃料ガスを燃焼させるバーナー１２と、バーナー１２に燃焼用空気を送る燃焼ファン１３と、バーナー１２での燃焼によって生じた燃焼排気と熱交換するための熱交換器１４とを備えている。熱交換器１４には、給水通路１５を通じて上水が供給されており、供給された上水は熱交換器１４で燃焼排気との熱交換によって加熱された後、湯となって給湯通路２０へと流出する。熱交換器１４に接続された給水通路１５には、給水通路１５を開閉する元栓１６や、給湯装置１０から水抜きするための水抜栓１７が設けられている。
【００１６】
熱交換器１４の下流側に接続された給湯通路２０は、湯張制御装置３０の手前で２つに分岐して、一方が湯張制御装置３０に接続され、他方がカラン２１に接続されており、カラン２１側の途中に水抜栓２２が設けられている。また、湯張制御装置３０には、給水通路１５から分岐した上水圧力通路１８が接続されている。さらに、湯張制御装置３０は、湯張システム１を制御するコントローラ４０と電気的に接続されている。
【００１７】
図２は、本実施例の湯張制御装置３０の構成を概念的に示した説明図である。図示されるように湯張制御装置３０は、湯張電磁弁３１と、フィルター３２と、２つの逆止弁（第１逆止弁３３および第２逆止弁３４）と、流量センサー３５と、大気開放弁３６とを備えている。
【００１８】
湯張電磁弁３１は、コントローラ４０によって開閉動作が制御され、給湯通路２０を開閉する。本実施例の湯張電磁弁３１には、周知のパイロット式電磁弁を用いているが、直動式電磁弁を用いてもよい。差圧を利用するパイロット式電磁弁は、一般的に直動式電磁弁に比べて小さな力で開閉するため、ソレノイドの小型化を図ると共に、消費電力を抑えることが可能である。尚、本実施例の湯張電磁弁３１は、本発明の「電磁弁」に相当している。湯張電磁弁３１の上流側（給湯装置１０側）には、目の細かいフィルター３２が設けられており、給湯装置１０からの湯水に混入する異物を除去する。このため、異物によって湯張電磁弁３１が正常に動作しなくなる事態を防止できる。
【００１９】
第１逆止弁３３および第２逆止弁３４は、湯張電磁弁３１の下流側（浴槽２側）に直列に設けられており、給湯通路２０を閉じる閉弁方向に付勢されている。湯張電磁弁３１の開弁によって給湯装置１０から供給される湯水の圧力が所定の開弁圧力を上回ると、第１逆止弁３３および第２逆止弁３４が開弁して湯水を通過させるので、浴槽２に湯張りが行われる。そして、湯張り中に断水などの理由で給湯装置１０から供給される湯水の圧力が低下すると、第１逆止弁３３および第２逆止弁３４が閉弁して、浴槽２側から給湯装置１０側に湯水が逆流するのを阻止する。また、２つの逆止弁（第１逆止弁３３および第２逆止弁３４）が直列になっているので、逆止弁が１つの場合によりも確実に湯水の逆流を阻止できる。尚、本実施例の上流側の第１逆止弁３３は、本発明の「逆止弁」に相当している。
【００２０】
流量センサー３５は、第２逆止弁３４の下流側に設けられており、給湯通路２０を通過する湯水の流量を計測する。本実施例の流量センサー３５には、給湯通路２０内の湯水の流れによって回転する羽根車が内蔵されており、羽根車の回転速度に基づいて湯水の流量を計測してコントローラ４０に出力する。
【００２１】
第１逆止弁３３と第２逆止弁３４との間に接続された大気開放弁３６は、開弁方向に付勢されており、上水圧力通路１８を介して上水の圧力を受けることで付勢に抗して閉弁状態になっている。そして、断水などで上水の圧力が低下すると、大気開放弁３６が開弁して第１逆止弁３３と第２逆止弁３４との間の湯水を排出するので、仮に第１逆止弁３３や第２逆止弁３４の閉弁が不完全であったとしても、浴槽２側から給湯装置１０側への湯水の逆流を防止することができる。
【００２２】
以上のような構成の湯張システム１では、冬期に配管内の水の凍結膨張による破損を防止するなどの目的で給湯装置１０の水抜きが行われるのに伴って、湯張制御装置３０の水抜きも行われるが、従来の湯張制御装置３０では、フィルター３２と第１逆止弁３３との間の湯水が抜け難く残ってしまうことがある。以下では、水抜きを容易とするために本実施例の湯張制御装置３０に採用された構成について説明するが、その準備として、湯張制御装置３０に湯水が残る理由について先に説明する。
【００２３】
図３は、湯張制御装置３０に湯水が残ってしまう場合を例示した説明図である。まず、図３（ａ）には、水抜き前の状態が示されており、図中のハッチングを付した部分は湯水があることを表している。尚、水抜き前には浴槽２の湯水が抜かれることによって、第２逆止弁３４よりも下流側の給湯通路２０の湯水は抜かれているものとする。また、水抜きに際して湯張りが行われることはないので、湯張電磁弁３１は閉じた状態となっており、それに伴って第１逆止弁３３および第２逆止弁３４も閉じた状態になっている。加えて、上水圧力通路１８には上水の圧力がかかっているため、大気開放弁３６は閉弁状態になっている。
【００２４】
水抜き時には、作業者が給水通路１５の元栓１６を閉じて上水の供給を停止した後、水抜栓１７および水抜栓２２を開ける（図１参照）。すると、図３（ｂ）に示すように、給湯通路２０内のフィルター３２よりも上流側（給湯装置１０側）の湯水は、水抜栓２２（あるいは水抜栓１７）から排出される。また、上水圧力通路１８内の上水が水抜栓１７から排出されて、上水圧力通路１８に上水の圧力がかからなくなる。その結果、大気開放弁３６が開弁して、第１逆止弁３３と第２逆止弁３４との間の湯水が大気開放弁３６から排出される。
【００２５】
ただし、フィルター３２から第１逆止弁３３までの間については、湯張電磁弁３１を開弁させても、第１逆止弁３３が閉弁したままであり、第１逆止弁３３の下流側から上流側の湯水に大気圧が作用することはなく、空気が入り込むこともない。一方、フィルター３２の上流側で給湯通路２０内の湯水が抜けたことで、フィルター３２の上流側から下流側の湯水に大気圧が作用する。また、フィルター３２の細かい目で水の表面張力が生じて空気が入り込み難くなる。このため、フィルター３２と第１逆止弁３３との間では、湯水がフィルター３２側から流れ出ようとしても、置換される空気がないことから負圧が発生し、この負圧と、フィルター３２で生じる水の表面張力と、フィルター３２の上流側から作用する大気圧とで湯水の重量が支えられる。その結果、フィルター３２から第１逆止弁３３までの間の湯水が排出されずに取り残されてしまう。
【００２６】
図４は、水抜きを容易とするために本実施例の湯張制御装置３０に採用された構成を示す説明図である。まず、図４（ａ）には、本実施例の第１逆止弁３３および大気開放弁３６の断面が示されており、図示した例では、浴槽２への湯張りを行っていない状態（湯張電磁弁３１を閉じた状態）を表している。第１逆止弁３３は、給湯通路２０を開閉する弁体５０や、弁体５０を下流側から弁座５１に押し付ける閉弁方向に付勢する閉弁バネ５２を備えている。本実施例の閉弁バネ５２は、一端が給湯通路２０に支持されており、弁体５０を給湯通路２０に対して閉弁方向に付勢している。湯張電磁弁３１を閉じた状態では、給湯装置１０からの湯水の圧力が第１逆止弁３３に及ばないので、第１逆止弁３３は、弁体５０が閉弁バネ５２の付勢力で弁座５１に押し付けられて閉弁状態になっている。
【００２７】
大気開放弁３６は、ダイヤフラム６０によって一次室６１と二次室６２とに仕切られた構造になっている。一次室６１は、上水圧力通路１８が接続されており、上水が導かれる。一方、二次室６２は、給湯通路２０と連通しており、第１逆止弁３３と第２逆止弁３４との間の湯水が導かれる。また、二次室６２には、ダイヤフラム６０で支持された弁体６３や、弁体６３を一次室６１に向けて付勢する開弁バネ６５が設けられていると共に、大気に開放された開放通路６６が接続されている。上水が供給されていれば、上水の圧力によってダイヤフラム６０が二次室６２側に押し込まれるので、開弁バネ６５の付勢力に抗して弁体６３が弁座６４に押し付けられて大気開放弁３６は閉弁状態になっている。
【００２８】
そして、本実施例の湯張制御装置３０では、第１逆止弁３３の弁体５０の移動方向と大気開放弁３６の弁体６３の移動方向とが同一方向（図中の上下方向）であり、第１逆止弁３３の弁体５０から大気開放弁３６に向けてロッド５３が延設されていると共に、大気開放弁３６の弁体６３から第１逆止弁３３に向けてシリンダー６７が延設されている。
【００２９】
図４（ｂ）には、第１逆止弁３３のロッド５３および大気開放弁３６のシリンダー６７が拡大して示されている。シリンダー６７は、ロッド５３の端部を内部に収容可能に円筒形状になっており、ロッド５３の端部には、外径を拡げた拡径部５４が設けられている。一方、シリンダー６７の端部には、内径を縮めた縮径部６８が設けられており、シリンダー６７内を移動可能な拡径部５４に縮径部６８が係合することでロッド５３を抜け止めしている。また、ロッド５３には、弁体５０と拡径部５４との間の位置に、径方向の外側に張り出した鍔部５５が設けられており、鍔部５５が縮径部６８に当接することで、シリンダー６７へのロッド５３の挿入量を制限している。
【００３０】
尚、本実施例の湯張制御装置３０では、ロッド５３の端部が円筒状であると共に複数のスリット（図示省略）が形成されて内側にたわめることが可能であるため、いわゆるスナップフィットによってロッド５３の端部をシリンダー６７の内側にはめ込むことができ、一旦はめ込むと、拡径部５４と縮径部６８とが係合するので抜け止めされる。また、本実施例の湯張制御装置３０では、第１逆止弁３３および大気開放弁３６が何れも閉弁状態であれば、拡径部５４と縮径部６８とが係合しないように設定されている。すなわち、拡径部５４と縮径部６８とが係合するよりも前に、第１逆止弁３３は弁体５０が弁座５１に当接して閉弁状態となる。
【００３１】
図５は、浴槽２の湯張り中における本実施例の第１逆止弁３３および大気開放弁３６の状態を示した断面図である。湯張りのために湯張電磁弁３１を開弁すると、給湯装置１０から供給される湯水の圧力が第１逆止弁３３に及び、所定の開弁圧力を上回ることにより、閉弁バネ５２の付勢力に抗して弁体５０が弁座５１から離れるので、第１逆止弁３３が開弁状態となる。その結果、給湯装置１０からの湯水が第１逆止弁３３を通過可能となり、続いて第２逆止弁３４も開弁して浴槽２に湯張りが行われる。尚、図中の白抜きの矢印は、湯水の流れを表している。
【００３２】
また、前述したように大気開放弁３６は、二次室６２が第１逆止弁３３よりも下流側の給湯通路２０と連通しているので、第１逆止弁３３と第２逆止弁３４との間の湯水の圧力が大気開放弁３６に及ぶものの、湯張り中は上水が供給されており、上水圧力通路１８を介して大気開放弁３６は上水の圧力を受けている。一般に、給湯装置１０を通って第１逆止弁３３の下流側に供給される湯水の圧力に比べると上水の圧力の方が高いので、開弁バネ６５の付勢力に抗して大気開放弁３６は閉弁状態になっている。
【００３３】
尚、大気開放弁３６が閉弁した状態で、第１逆止弁３３が開弁する際には、ロッド５３の拡径部５４がシリンダー６７内を縮径部６８から離れる方向（図中の下方）に移動することにより、第１逆止弁３３の弁体５０と大気開放弁３６の弁体６３との間隔が縮まるようになっているので、第１逆止弁３３の開弁が妨げられることはない。
【００３４】
図６は、水抜き時における本実施例の第１逆止弁３３および大気開放弁３６の状態を示した断面図である。水抜きのために給水通路１５の元栓１６を閉じて上水の供給を停止した後、水抜栓１７および水抜栓２２を開けると、上水圧力通路１８に上水の圧力がかからなくなるので、開弁バネ６５の付勢力でダイヤフラム６０が一次室６１側に押し戻されて弁体６３が弁座６４から離れることで大気開放弁３６は開弁状態となる。その結果、第１逆止弁３３と第２逆止弁３４との間の湯水が大気開放弁３６を通過可能となり、開放通路６６を通じて排出される。また、湯水の排出に伴って、代わりに空気が開放通路６６を通じて吸い込まれ、第１逆止弁３３と第２逆止弁３４との間が空気で置換される。図中の破線の矢印は、空気の流れを表している。
【００３５】
そして、本実施例の湯張制御装置３０では、第１逆止弁３３の開弁方向（弁体５０が弁座５１から離れる方向）と、大気開放弁３６の開弁方向（弁体６３が弁座６４から離れる方向）とが同一方向（図中の下方）であって、大気開放弁３６の開弁に伴い、ロッド５３の拡径部５４とシリンダー６７の縮径部６８とが係合して第１逆止弁３３の弁体５０と大気開放弁３６の弁体６３との間隔が所定距離に維持される。また、本実施例の大気開放弁３６の開弁バネ６５は、第１逆止弁３３の閉弁バネ５２と付勢方向が反対であって、付勢力が閉弁バネ５２よりも強く設定されている。そのため、大気開放弁３６の開弁に連動して、弁体５０が閉弁バネ５２の付勢力に抗して弁座５１から引き離されることにより、第１逆止弁３３は開弁状態となる。尚、本実施例のロッド５３の拡径部５４およびシリンダー６７の縮径部６８は、本発明の「係合部」に相当している。
【００３６】
こうして第１逆止弁３３が開弁すると、空気の流入が可能となるため、湯張電磁弁３１を開弁状態にすれば、フィルター３２と第１逆止弁３３との間の負圧が解消されると共に、第１逆止弁３３の下流側から上流側の湯水に大気圧が作用する。この状態では、もはやフィルター３２で生じる水の表面張力だけでは湯水の重量を支えきれなくなるので、フィルター３２と第１逆止弁３３との間の湯水が表面張力を破ってフィルター３２側から流れ出て、水抜栓２２から排出される（図３（ｂ）参照）。また、開弁した第１逆止弁３３側からも湯水が流れ出ることが可能である。尚、本実施例の湯張システム１では、水抜きに際して作業者が元栓１６を閉じた後に水抜栓１７および水抜栓２２を開けたら、コントローラ４０と接続された図示しないリモコンの水抜きスイッチを操作するようになっており、コントローラ４０は、水抜きスイッチの操作信号に基づいて、湯張電磁弁３１を開弁させる。
【００３７】
以上のように本実施例の湯張制御装置３０では、給湯装置１０の水抜き時に上水の供給が停止されて大気開放弁３６が開弁するのに伴い、大気開放弁３６と第１逆止弁３３とが係合することによって第１逆止弁３３を開弁させ、置換用の空気が流入可能となるので、湯張電磁弁３１を開弁状態にするだけで、湯張制御装置３０から容易に水抜きすることができる。
【００３８】
また、本実施例の湯張制御装置３０では、第１逆止弁３３の開弁方向（弁体５０が弁座５１から離れる方向）と、大気開放弁３６の開弁方向（弁体６３が弁座６４から離れる方向）とが同一方向になっており、大気開放弁３６が閉弁した状態で、第１逆止弁３３が開弁する際には、ロッド５３の拡径部５４がシリンダー６７内を縮径部６８から離れる方向に移動して第１逆止弁３３の弁体５０と大気開放弁３６の弁体６３との間隔を縮めることで、第１逆止弁３３の開弁が妨げられることはない。一方、大気開放弁３６が開弁する際には、第１逆止弁３３の弁体５０と大気開放弁３６の弁体６３との間隔が所定距離に広がることで、ロッド５３の拡径部５４とシリンダー６７の縮径部６８とが係合するので、大気開放弁３６の開弁と連動して第１逆止弁３３を開弁させることができる。
【００３９】
上述した本実施例の湯張制御装置３０には、次のような変形例も存在する。以下では、上述の実施例とは異なる点を中心に変形例について説明する。尚、変形例の説明では、上述の実施例と同様の構成については同じ符号を付して説明を省略する。
【００４０】
図７は、変形例における第１逆止弁３３のロッド５３および大気開放弁３６のシリンダー６７を拡大して示した断面図である。前述した実施例の湯張制御装置３０では、第１逆止弁３３の閉弁バネ５２の一端が給湯通路２０に支持され、他端が弁体５０に接しており、第１逆止弁３３は給湯通路２０に対して閉弁方向に付勢されていた。これに対して、変形例の閉弁バネ５２は、シリンダー６７内に設置されており、一端がシリンダー６７に支持され、他端がロッド５３の拡径部５４に接している。このため、変形例の第１逆止弁３３は、大気開放弁３６に対して閉弁バネ５２で閉弁方向に付勢されている。
【００４１】
前述した実施例のように第１逆止弁３３を給湯通路２０に対して閉弁バネ５２で閉弁方向に付勢しておく場合、水抜き時にロッド５３の拡径部５４とシリンダー６７の縮径部６８との係合を介して閉弁バネ５２の付勢力が大気開放弁３６に作用することになり、大気開放弁３６に対して閉弁バネ５２の付勢力と開弁バネ６５の付勢力とが逆方向に作用する。従って、大気開放弁３６の開弁に連動して第１逆止弁３３を開弁させるには、第１逆止弁３３の閉弁バネ５２の付勢力を、大気開放弁３６の開弁バネ６５の付勢力よりも弱く設定しておく必要がある。
【００４２】
これに対して、本変形例のように閉弁バネ５２をシリンダー６７内に設置し、第１逆止弁３３を大気開放弁３６に対して閉弁バネ５２で閉弁方向に付勢しておけば、水抜き時にロッド５３の拡径部５４とシリンダー６７の縮径部６８とが係合しても、閉弁バネ５２が大気開放弁３６を閉弁方向に付勢することはないので、閉弁バネ５２の付勢力と開弁バネ６５の付勢力との強さの関係にかかわらず、大気開放弁３６の開弁に連動して第１逆止弁３３を開弁させることができる。結果として、閉弁バネ５２の強さの選定が容易となる。
【００４３】
尚、第１逆止弁３３を大気開放弁３６に対して閉弁方向に付勢するための閉弁バネ５２の設置位置は、上述したシリンダー６７内に限られない。図８に示されるように閉弁バネ５２の内側にロッド５３を挿通しておくこととして、閉弁バネ５２の一端がシリンダー６７の縮径部６８に支持され、他端がロッド５３の鍔部５５に接していてもよい。
【００４４】
以上、本実施例および変形例の湯張制御装置３０について説明したが、本発明は上記の実施例および変形例に限られるものではなく、その要旨を逸脱しない範囲において種々の態様で実施することが可能である。
【００４５】
例えば、前述した実施例および変形例では、第１逆止弁３３の弁体５０からロッド５３が延設され、大気開放弁３６の弁体６３からシリンダー６７が延設されていた。しかし、これとは反対に、ロッド５３を大気開放弁３６の弁体６３から延設し、シリンダー６７を第１逆止弁３３の弁体５０から延設して係合可能としてもよい。
【００４６】
また、第１逆止弁３３と大気開放弁３６とを係合可能な機構としては、前述した実施例のようにロッド５３の端部を移動可能にシリンダー６７内に嵌め込んだものに限られず、大気開放弁３６の閉弁状態では第１逆止弁３３の開弁を妨げることなく、大気開放弁３６の開弁時に係合によって第１逆止弁３３を開弁させることが可能であれば、他の機構を採用してもよい。例えば、第１逆止弁３３の弁体５０と大気開放弁３６の弁体６３とを所定の長さのワイヤで繋いでおくこととして、大気開放弁３６が閉弁した状態で第１逆止弁３３が開弁するとワイヤが弛んで第１逆止弁３３の開弁を妨げず、大気開放弁３６の開弁時にワイヤが張って第１逆止弁３３を一体に開弁させるようにしてもよい。
【符号の説明】
【００４７】
１…湯張システム、          ２…浴槽、                １０…給湯装置、
１１…ガス通路、            １２…バーナー、          １３…燃焼ファン、
１４…熱交換器、            １５…給水通路、          １６…元栓、
１７…水抜栓、              １８…上水圧力通路、      ２０…給湯通路、
２１…カラン、              ２２…水抜栓、            ３０…湯張制御装置、
３１…湯張電磁弁、          ３２…フィルター、        ３３…第１逆止弁、
３４…第２逆止弁、          ３５…流量センサー、      ３６…大気開放弁、
４０…コントローラ、        ５０…弁体、              ５１…弁座、
５２…閉弁バネ、            ５３…ロッド、            ５４…拡径部、
５５…鍔部、                ６０…ダイヤフラム、      ６１…一次室、
６２…二次室、              ６３…弁体、              ６４…弁座、
６５…開弁バネ、            ６６…開放通路、          ６７…シリンダー、
６８…縮径部。
【図１】
2020012614.tif 000003
【図２】
2020012614.tif 000004
【図３】
2020012614.tif 000005
【図４】
2020012614.tif 000006
【図５】
2020012614.tif 000007
【図６】
2020012614.tif 000008
【図７】
2020012614.tif 000009
【図８】
2020012614.tif 000010